(57)【要約】【課題】  ＬＥＤ光源などによって発生するフリッカを撮影前に検出することができる撮像装置を提供すること。【解決手段】  撮像装置は、撮像素子４１７と、撮像素子４１７に入射する被写体からの光束の一部を受光する光電素子４１５ａを有する第１検出部４１５とを有する。第１検出部４１５は、光電素子４１５ａによって受光された光束から光束の交流電流成分を検出する。撮像装置は、交流電流成分から光束における明滅周期を検出するシステム制御部２２５を有する。【選択図】      図１
2019161499.tif 000002
【特許請求の範囲】
【請求項１】
デジタル画像を撮影可能な撮像装置であって、
被写体を撮像して前記デジタル画像を逐次出力する撮像部と、
前記撮像部に入射する被写体からの光束の一部を受光する光電素子を有し、前記光電素子によって受光された前記光束から前記光束の交流電流成分を検出する第１検出部と、
前記交流電流成分から前記光束における明滅周期を検出する第２検出部と、
を具備することを特徴とする撮像装置。
【請求項２】
前記明滅周期が検出された際に、前記明滅周期が有ることを示す警告を出力する警告部を具備することを特徴とする請求項１に記載の撮像装置。
【請求項３】
前記明滅周期が検出された際に、撮影モードをＳモード又はＭモードに変更する撮影モード変更部を具備することを特徴とする請求項１に記載の撮像装置。
【請求項４】
前記明滅周期が検出された際に、シャッターモード又はドライブモードを変更する撮影モード変更部を具備することを特徴とする請求項１に記載の撮像装置。
【請求項５】
前記撮像部に対して設定されるシャッタースピードの値の系列である、第１のシャッタースピード系列と、前記第１のシャッタースピード系列よりも細かい第２のシャッタースピード系列とにおける系列値を切り替えるシャッタースピード切替部と、
前記撮像部の露出時間を、前記シャッタースピード切替部によって切り替えられた前記第１のシャッタースピード系列の系列値又は前記第２のシャッタースピード系列の系列値に従って制御するシャッタースピード制御部と、
をさらに具備することを特徴とする請求項１に記載の撮像装置。
【請求項６】
前記明滅周期が検出された際に、前記シャッタースピード制御部は、前記露出時間を制御するためのシャッタースピードを、前記第２のシャッタースピード系列のなかで前記明滅周期に近いシャッタースピードに設定することを特徴とする請求項５に記載の撮像装置。
【請求項７】
前記明滅周期が検出された際に、前記シャッタースピード制御部は、前記露出時間を制御するためのシャッタースピードを、前記第２のシャッタースピード系列のなかで前記明滅周期に近いシャッタースピードに設定し、整数倍のシャッタースピードごとに変更可能とすることを特徴とする請求項５に記載の撮像装置。
【請求項８】
前記明滅周期が検出された際に、前記シャッタースピード制御部は、前記第２のシャッタースピード系列のなかで前記明滅周期に近い第１のシャッタースピード又は前記第１のシャッタースピードの整数倍の第２のシャッタースピードを、前記第１のシャッタースピード系列に加えることを特徴とする請求項５に記載の撮像装置。
【請求項９】
前記第１検出部は、前記撮像部を光軸に垂直な平面内で移動させる手振れ補正ユニットに含まれ、
前記手振れ補正ユニットは、前記撮像部を含むことを特徴とする請求項１に記載の撮像装置。
【請求項１０】
前記光電素子は、前記撮像部の有効画素領域に離散的に組み込まれたことを特徴とする請求項１に記載の撮像装置。
【請求項１１】
前記光電素子は、前記撮像部の有効画素領域の周縁部にのみに組み込まれたことを特徴とする請求項１に記載の撮像装置。
【請求項１２】
前記光電素子を有さない画素の読み出しを行う第１の読み出しシーケンスと、前記第１の読み出しシーケンスよりも早いスピードで前記光電素子を有する画素の画読み出しを行う第２の読み出しシーケンスとで構成されたことを特徴とする請求項１０または請求項１１に記載の撮像装置。
【請求項１３】
前記撮像部は、裏面照射型であることを特徴とする請求項１に記載の撮像装置。
【発明の詳細な説明】
【技術分野】
【０００１】
本発明は、撮像装置に関する。
【背景技術】
【０００２】
蛍光灯は、１００Ｈｚ（電源周波数が５０Ｈｚ）又は１２０Ｈｚ（同６０Ｈｚ）で明滅する。このような明滅を繰り返すフリッカ光源下で撮影が行われたときに、撮影された画像にフリッカによる横縞が発生する場合があることが知られている。フリッカによる横縞の影響を抑制するための手法として、例えば特許文献１が挙げられる。特許文献１に開示されるカメラ装置は、蛍光灯の明滅周期を検出し、明滅周期に同期して、明るさの比較的安定しているピーク付近において高速シャッタースピードで撮影することで、明滅の影響を低減している。
【先行技術文献】
【特許文献】
【０００３】
【特許文献１】特開２００４−１９３９２２号公報
【発明の概要】
【発明が解決しようとする課題】
【０００４】
近年、省エネ、長寿命化の観点から、例えば体育館、室内演芸場及び一般家庭における室内照明は、蛍光灯からＬＥＤに変わりつつある。商用電源周波数の２倍の低速な周期で明滅する蛍光灯に対して、ＬＥＤ照明機器は数ｋＨｚ〜数百ｋＨｚという高速な周波数で明滅し、ＬＥＤにおける明滅の明暗差も蛍光灯における明滅の明暗差に比べて格段に大きい。また、一般的に、ＬＥＤ光源に限らず明滅を繰り返すフリッカ光源の周波数は理想的に安定しておらず、フリッカ光源の位相とピークタイミングとの検出にも多少の処理時間を要するため、現実的にはフリッカ光源の位相と撮影時刻の多少の時間的なズレが生じる。このため、特に、数ｋＨｚ〜数百ｋＨｚで高速に明滅するＬＥＤでは、明滅のタイミングを精度よく検出することが難しく、撮影開始タイミングを精度よく明るさのピークに同期させることは困難である。
【０００５】
また、蛍光灯による明暗の横縞と異なり、ＬＥＤによる明暗の横縞は撮像素子の１画素ラインごとの細い横縞になることが多い。このため、カメラの表示画面では、ＬＥＤによる明暗の横縞を視認することは難しい。これはカメラの表示画面の大きさがＰＣなどの画面に比べて小さく、また表示画面の表示画素数が撮像素子の画素数に対して圧倒的に少ないためである。さらに、撮影前にカメラの表示画面に表示されるライブビュー画像は、実際に静止画撮影時に使用される撮像シーケンスとは全く異なる撮像シーケンスで得られた画像である。したがって、撮影前の横縞の状態と撮像時の横縞の状態とは通常は一致しない。
【０００６】
このため、ユーザ（撮影者）は、撮影時に横縞を予見することができず、撮影終了後にＰＣのモニタなどの大画面で細い横縞を発見して、撮影現場に問題があったことに初めて気付くことになる。
【０００７】
本発明は、これらの事情に鑑みてなされたものであり、ＬＥＤ光源などによって発生するフリッカを撮影前に検出することができる撮像装置を提供することを目的とする。
【課題を解決するための手段】
【０００８】
前記の目的を達成するために、本発明の撮像装置の一態様は、デジタル画像を撮影可能な撮像装置であって、被写体を撮像して前記デジタル画像を逐次出力する撮像部と、前記撮像部に入射する被写体からの光束の一部を受光する光電素子を有し、前記光電素子によって受光された前記光束から前記光束の交流電流成分を検出する第１検出部と、前記交流電流成分から前記光束における明滅周期を検出する第２検出部と、を具備する。
【発明の効果】
【０００９】
本発明は、これらの事情に鑑みてなされたものであり、ＬＥＤ光源などによって発生するフリッカを撮影前に検出することができる撮像装置を提供できる。
【図面の簡単な説明】
【００１０】
【図１】図１は、本発明の第１の実施形態に係る撮像装置の一例としてのカメラシステムの構成を示すブロック図である。
【図２】図２は、カメラシステムの外観構成を示す図である。
【図３】図３は、カメラシステムに搭載される手振れ補正ユニットの構成を示す図である。
【図４】図４は、手振れ補正ユニットに搭載される第１検出部の回路構成の一例を示す図である。
【図５】図５は、図３に示す手振れ補正ユニットの構成の変形例を示す図である。
【図６】図６は、カメラシステムの表示部に表示される各ライブビュー画像を説明する図である。
【図７Ａ】図７Ａは、静止画を撮像するためのカメラシステムの動作を示すフローチャートである。
【図７Ｂ】図７Ｂは、「自動ＳＹＮＣ設定」画面における設定モードの切替及び設定を説明する図である。
【図７Ｃ】図７Ｃは、明滅周期検出処理のためのカメラシステムの動作を示すフローチャートである。
【図７Ｄ】図７Ｄは、明滅周期の存在を示す警告を表示する表示部の一例である。
【図７Ｅ】図７Ｅは、交流電流成分に対する検出管理処理のためのカメラシステムの動作を示すフローチャートである。
【図７Ｆ】図７Ｆは、シャッタースピード切替処理のためのカメラシステムの動作を示すフローチャートである。
【図８】図８は、本発明の第２の実施形態を示し、光学素子が組み込まれた撮像素子の構成を示す図である。
【図９】図９は、光学素子が組み込まれた撮像素子の構成の変形例を示す図である。
【図１０】図１０は、図９に示す撮像素子における配線の構成例を示す図である。
【発明を実施するための形態】
【００１１】
以下、図面を参照して本発明の各実施形態について説明する。なお、一部の図面では図示の明瞭化のために部材の一部の図示を省略する。
【００１２】
［第１の実施形態］
以下に、図１と図２とを参照して本発明の第１の実施形態について説明する。図１は、第１の実施形態の撮像装置の一例としてのカメラシステム１の構成を示すブロック図である。図２は、カメラシステム１の外観構成を示す図である。
【００１３】
図１と図２とに示すようにカメラシステム１は、交換式のレンズ１００がカメラ本体２００にマウント５０１によって着脱自在に構成されているレンズ交換式のカメラシステムである。なお、カメラシステム１は、必ずしもレンズ交換式のカメラシステムでなくてもよい。例えば、カメラシステム１は、レンズ１００とカメラ本体２００とが一体に構成されているレンズ一体式のカメラシステムでもよい。
【００１４】
図１に示すようにレンズ１００は、撮影レンズ１０１と、絞り１０３と、液晶絞り１０５とを有している。
【００１５】
撮影レンズ１０１は、被写体からの光束をカメラ本体２００の後述する撮像素子４１７に結像させるための光学系である。撮影レンズ１０１は、フォーカスレンズを含む単一又は複数のレンズを有している。ここで、撮影レンズ１０１は、ズームレンズとして構成されていてもよい。絞り１０３は、撮影レンズ１０１の光軸上に配置され、口径が機械的に可変に構成されている。絞り１０３は、撮影レンズ１０１を通過して撮像素子４１７に入射する被写体からの光束を規制する。液晶絞り１０５は、撮影レンズ１０１の光軸上に配置され、絞り１０３と撮像素子４１７との間に配置される。液晶絞り１０５は、液晶に印加される電圧によって、電気的に光の透過を制限するように構成されている。液晶絞り１０５は、絞り１０３を通過して撮像素子４１７に入射する被写体からの光束を規制する。
【００１６】
カメラ本体２００は、レンズ制御部２０１と、絞り制御部２０３と、液晶絞り制御部２０５と、手振れ検出部４０１と、撮像素子４１７を有する手振れ補正ユニット４０３と、撮像制御部２０７と、アナログデジタル（Ａ／Ｄ）変換部２０９と、メモリ２１１と、画像処理部２１３と、露出制御部２１５と、ＡＦ処理部２１７と、外部メモリ２１９と、表示部２２１と、不揮発性メモリ２２３と、システム制御部２２５と、操作部２２７と、電源制御部２２９と、電源部２３１と、フラッシュ制御部２３３と、フラッシュ充電部２３５と、フラッシュ発光部２３７とを有している。ここで、カメラ本体２００の各ブロックは、例えばハードウェアによって構成されている。しかしながら各ブロックは、必ずしもハードウェアによって構成されている必要はなく、ソフトウェアによって構成されていてもよい。また、カメラ本体２００の各ブロックは、単一のハードウェア又はソフトウェアによって構成されていなくてもよく、複数のハードウェア又はソフトウェアによって構成されていてもよい。
【００１７】
レンズ制御部２０１は、システム制御部２２５からの制御信号に基づいて、撮影レンズ１０１のフォーカスレンズ又はズームレンズを駆動する。絞り制御部２０３は、システム制御部２２５からの制御信号に基づいて、絞り１０３の口径を制御する。液晶絞り制御部２０５は、システム制御部２２５からの制御信号に基づいて、液晶絞り１０５に印加する電圧を制御する。
【００１８】
手振れ検出部４０１は、例えば、加速度センサ又は角速度センサを有する。手振れ検出部４０１は、撮影時にカメラシステム１に加えられた手振れの量及び方向を検出する。手振れ検出部４０１は、検出結果をシステム制御部２２５に出力する。システム制御部２２５は、手振れ検出部４０１の検出結果を基に手振れをキャンセルするための補正情報を算出する。システム制御部２２５は、補正情報を手振れ補正ユニット４０３に出力する。手振れ補正ユニット４０３では、補正情報を基に、撮像素子４１７に入射する被写体からの光束Ｌ１の中心軸である光軸Ｌ２（図３参照）に対して直交する平面における手振れ補正ユニット４０３の移動量と移動方向とが制御される。平面は、光軸Ｌ２に対して直交するＸ軸と、光軸Ｌ２とＸ軸とに直交するＹ軸とを含む。Ｘ軸は、例えば、紙面の上下方向に沿って延びている。手振れ検出部４０１は、撮像素子４１７を光軸Ｌ２に垂直な平面内で移動させる。
【００１９】
手振れ補正ユニット４０３は、レンズ１００をカメラ本体２００に着脱自在に固定するマウント５０１の後方に配置される。図３に示すように、手振れ補正ユニット４０３は、防塵ガラス４０５と、超音波駆動部材４０７と、ローパスフィルタ４０９と、赤外カットフィルタ４１１と、光電素子４１５ａを有する第１検出部４１５と、撮像素子４１７と、筐体である収納部４１９とを有する。
【００２０】
防塵ガラス４０５は、マウント５０１の後方に配置される。また防塵ガラス４０５は、収納部４１９の開口部に配置されており、収納部４１９の内部を封止している。防塵ガラス４０５は、収納部４１９の内部に収納されたローパスフィルタ４０９と赤外カットフィルタ４１１と撮像素子４１７と第１検出部４１５とを埃等から保護する。防塵ガラス４０５から収納部４１９の底面に向かって、ローパスフィルタ４０９と赤外カットフィルタ４１１と撮像素子４１７とがこの順で収納部４１９の内部に配置されている。防塵ガラス４０５は、光束Ｌ１を透過させる。防塵ガラス４０５は、硬質である。
【００２１】
超音波駆動部材４０７は、例えば接着剤によって、光束Ｌ１が透過する防塵ガラス４０５の有効領域の外側に接着されている。有効領域の外側とは、例えば、防塵ガラス４０５の背面の周縁部である。超音波駆動部材４０７は、防塵ガラス４０５に対して所定の振動を与えるための加振用部材である。超音波駆動部材４０７は、例えば圧電素子を有する。超音波駆動部材４０７は、システム制御部２２５からの所定の駆動電圧の印加を受けることによって振動し、この振動を防塵ガラス４０５に伝達する。防塵ガラス４０５に付着した埃等は、振動によって防塵ガラス４０５から除去される。
【００２２】
ローパスフィルタ４０９は、撮像素子４１７のナイキスト周波数よりも高い光束Ｌ１の空間周波数成分を遮断して、ナイキスト周波数よりも低い光束Ｌ１の空間周波数成分を透過させる。
【００２３】
赤外カットフィルタ４１１は、光束Ｌ１のうちの例えば７００ｎｍといった所定よりも長い波長を有する赤外光をカットする。赤外カットフィルタ４１１は、光束Ｌ１のうちの例えば７００ｎｍといった所定よりも長い波長を有する赤外光の一部をローパスフィルタ４０９に向けて反射する構成を有していてもよい。
【００２４】
カメラシステム１がミラーボックスを廃止しバックフォーカスを極限まで短縮したミラーレス一眼カメラとして構成されている場合、第１検出部４１５のための配置スペースをカメラ本体２００の筐体の内部に確保することは著しく困難である。また、撮像素子４１７との位置関係を安定的に保つために、第１検出部４１５は、手振れ補正ユニット４０３内のローパスフィルタ４０９の近くに配置されている。第１検出部４１５は、撮像素子４１７に入射する光束Ｌ１の迷光を受光できる位置に配置されていればよい。この配置において、ローパスフィルタ４０９は、撮像素子４１７に入射する光束Ｌ１の一部を光電素子４１５ａに導光する導光部材としても機能する。光電素子４１５ａは、撮像素子４１７に入射する光束Ｌ１の一部を受光する。ここでローパスフィルタ４０９の導光によって光電素子４１５ａが受光する光の量は、例えば、ローパスフィルタ４０９を透過して撮像素子４１７に入射される光の量の略１％以下である。光電素子４１５ａは、光束Ｌ１のなかからより多くの光を受光することを求められている。赤外カットフィルタ４１１が反射フィルタであるときには、光電素子４１５ａは、赤外カットフィルタ４１１によってローパスフィルタ４０９に向けて反射された後にローパスフィルタ４０９によって光電素子４１５ａに導光された光束（赤外光）も受光することができるように赤外領域にも感度を有していることが好ましい。
【００２５】
第１検出部４１５は、光電素子４１５ａによって受光された光束から光束の交流電流成分を検出する。光電素子４１５ａが受光する光の量は撮像素子４１７に入射される光の量の略１％以下であるため、第１検出部４１５は、数１００ｐＡ〜数１０ｎＡの１００Ｈｚ〜数１０ｋＨｚの微小な交流電流を検出できる能力を備える検出回路（図４参照）を有する。この検出回路において、光電素子４１５ａは、例えば、フォトダイオードＤ１を有している。光電素子４１５ａから出力された交流電流は、トランジスタＱ３で増倍され、抵抗Ｒ２に波形として出力される。また検出回路において、電流源Ｉ１の電圧が制御（Ｃｔｒｌ）端子を介してシステム制御部２２５によって制御され、電流源Ｉ１の電流量が変わると、オペアンプＯＰ１の応答特性が変わる。これにより、光電素子４１５ａで測定（検出）できる周波数（例えば５０Ｈｚ〜数百ｋＨｚ）の周波数応答特性を変えることができる。
【００２６】
なおカメラシステム１が一眼レフカメラとして構成されている場合、ミラーボックスに配置された測距回路、又はペンタプリズムの測光回路が第１検出部４１５の検出回路として機能してもよい。測距回路又は測光回路に、検出回路として第１検出部４１５が実装されてもよい。
【００２７】
また図５に示すように、ローパスフィルタ４０９の代わりに、光束Ｌ１が透過する光学ガラス４２１が配置されてもよい。光学ガラス４２１は、光束Ｌ１が透過する光学ガラス４２１の有効領域の中央部又は略中央部に配置された赤外反射フィルタ４２１ａを有してもよい。赤外反射フィルタ４２１ａは、撮像素子４１７に入射する光束Ｌ１の例えば７００ｎｍといった所定よりも長い波長を有する赤外光の１００％近くを光電素子４１５ａに反射する。このため図５に示す光電素子４１５ａは赤外光を図３に示す光電素子４１５ａよりも多く受光でき、図５に示す構成は検出精度をより向上させることができる。
【００２８】
撮像部として機能する撮像素子４１７は、撮影レンズ１０１の光軸上であって、液晶絞り１０５の後方で、かつ、撮影レンズ１０１によって被写体からの光束が結像される位置に配置されている。撮像素子４１７は、二次元的又は三次元的に配置された画素を有する。各画素は、受光量に応じた電荷を生成する。また、各画素には、カラーフィルタが形成されている。このような撮像素子４１７は、被写体（被写界）を撮像して画像信号を生成する。ここで、撮像素子４１７は、焦点検出画素を有していてよい。撮像制御部２０７は、撮像素子４１７を駆動する。また、撮像制御部２０７は、撮像素子４１７で生成された画像信号の読み出しを制御する。
【００２９】
図１に示すＡ／Ｄ変換部２０９は、撮像素子４１７から出力された画像信号を、デジタル形式の画像データに変換する。
【００３０】
メモリ２１１は、例えば、電気的に書き替えできるＳＤＲＡＭであり、Ａ／Ｄ変換部２０９又は画像処理部２１３から出力された画像データ、ＡＦ処理部２１７又はシステム制御部２２５における処理データといった各種データを一時的に記憶する。なお、一時記憶用としてＤＲＡＭが用いられてもよい。
【００３１】
画像処理部２１３は、画像データに対して各種の画像処理を施す。画像処理部２１３は、ハードウェアによって構成されていてもよいし、ソフトウェアによって構成されていてもよいし、ハードウェアとソフトウェアの組み合わせによって構成されていてもよい。画像処理部２１３は、画像の表示や記録のために必要な基本画像処理を画像データに対して施す。この基本画像処理には、例えば、ホワイトバランス（ＷＢ）補正処理、色再現処理、階調補正処理、エッジ強調処理、ノイズ低減処理が含まれる。画像処理部２１３は、画像データに対して特殊な視覚効果を与えるための特殊画像処理を施す。特殊画像処理には、例えば、トリミング処理、コントラスト強調処理が含まれる。これらの特殊画像処理は、例えば後で説明する第１のライブビュー表示モード時の横縞の強調表示に用いられる。
【００３２】
露出制御部２１５は、自動露出（ＡＥ）処理を行う。具体的には、露出制御部２１５は、画像データ等から取得される被写体輝度に基づいて又は操作部２２７の設定に基づいて、撮影条件（例えば、拡大倍率、絞り値及びシャッタースピードの値）を制御する。
【００３３】
ＡＦ処理部２１７は、自動ピント調節（ＡＦ）処理を行う。具体的には、ＡＦ処理部２１７は、画像データ等から取得される焦点情報に基づいて撮影レンズ１０１に含まれるフォーカスレンズの駆動を制御する。焦点情報は、例えば画像データから算出されるＡＦ評価値（コントラスト値）であってもよいし、焦点検出画素等の出力から算出されるデフォーカス量であってもよい。
【００３４】
外部メモリ２１９は、例えばＦｌａｓｈメモリといった記憶媒体であり、カメラ本体２００に装填されるように構成されている。外部メモリ２１９は、画像処理部２１３によって処理された画像データを所定の形式の画像ファイルとして記憶する。
【００３５】
表示部２２１は、例えば液晶ディスプレイや有機ＥＬディスプレイといった表示部２２１であって、例えばカメラ本体２００の背面（図２参照）に配置される。表示部２２１は、システム制御部２２５によって駆動され、静止画又は動画といった各種の画像を表示する。ここで、表示部２２１は、必ずしもカメラ本体２００に設けられている必要はない。表示部２２１は、例えば、カメラ本体２００と通信自在に接続されたＴＶモニタ等であってもよい。表示部２２１は、操作部２２７の各種のボタン及びダイヤルといった操作部材の操作と同様の機能を果たすタッチパネル等の機能を有してもよい。
【００３６】
不揮発性メモリ２２３は、例えばＦｌａｓｈメモリといった記憶媒体であり、カメラ本体２００に内蔵されるように構成されている。不揮発性メモリ２２３は、カメラ本体２００の動作に必要なプログラムを記憶している。また、不揮発性メモリ２２３は、カメラ本体２００の各種の処理に必要な情報を記憶している。この情報は、例えば画像処理のパラメータの情報を含む。
【００３７】
システム制御部２２５は、不揮発性メモリ２２３に記憶されているプログラムに従ってカメラ本体２００の各ブロックを制御する。システム制御部２２５は、必ずしもマイクロコンピュータとして構成されている必要はなく、ＡＳＩＣ、ＦＰＧＡ等によって構成されていてもよい。
【００３８】
電源制御部２２９は、カメラ本体２００の操作部２２７に配置される図示しない電源ボタンのＯＮ状態又はＯＦＦ状態に応じて、電源部２３１からの電力の供給を制御する。電源ボタンがＯＮ状態となると、電源部２３１は、カメラ本体２００の各ブロックに電力を供給する。電源ボタンがＯＦＦ状態となると、電源部２３１は、各ブロックへの電力の供給を停止する。電源部２３１は、例えば、一次電池でも二次電池でもよいし、図示しない外部電源から電力を供給されるものでもよい。
【００３９】
フラッシュ制御部２３３は、フラッシュ充電部２３５及びフラッシュ発光部２３７それぞれの駆動又は停止を制御する。フラッシュ充電部２３５は、フラッシュ発光部２３７によるフラッシュ発光のために必要な電力を蓄える。フラッシュ発光部２３７は、例えばＬＥＤ光源と反射傘とを有する。このフラッシュ発光部２３７は、フラッシュ制御部２３３からのフラッシュ発光の指示に応じて照明光を発する。
【００４０】
図２に示すように、操作部２２７は、撮影モードダイヤル３１１と、レリーズボタン（シャッターボタン）３１３と、Ｒダイヤル３１５と、Ｆダイヤル３１７と、拡大ボタン３１９と、メニューボタンである十字ボタン３２１と、決定ボタンであるＯＫボタン３２３と、表示モード切替ボタン３２５と、ドライブボタン３２６と、動画ボタン３３５と、テレコンボタン３３７とを有する。操作部２２７は、各種のボタン及びダイヤルといった操作部材の操作状態を検知し、検知結果を示す信号をシステム制御部２２５に出力する。
【００４１】
撮影モードダイヤル３１１は、カメラシステム１の撮影モードを選択するためのダイヤルである。撮影モードは、例えば、プログラム撮影モード（以下、Ｐモードと称する）と、絞り優先撮影モード（以下、Ａモードと称する）と、シャッター優先撮影モード（以下、Ｓモードと称する）と、マニュアル撮影モード（以下、Ｍモードと称する）とを含む。
【００４２】
レリーズボタン３１３は、静止画の撮影をシステム制御部２２５に指示するためのボタンである。レリーズボタン３１３は、２段階式の押しボタンである。レリーズボタン３１３が１段階目まで浅く押されそのままの状態を半押しとし、２段階目まで深く押し込まれた状態を全押しとする。半押しで被写体にピントが合わさり、全押しで静止画が撮像される。動画ボタン３３５は、動画の撮影をシステム制御部２２５に指示するためのボタンである。テレコンボタン３３７は、画像の一部の拡大をシステム制御部２２５に指示するためのボタンである。
【００４３】
Ｒダイヤル３１５及びＦダイヤル３１７は、カメラ本体２００の動作状態によって割り当てられる機能が変わるダイヤルである。例えば静止画撮影のライブビュー表示中では、Ｒダイヤル３１５は、撮像素子４１７のシャッタースピードの変更をシステム制御部２２５に指示するダイヤルとして機能する。また例えば静止画撮影の拡大ライブビュー表示中では、Ｆダイヤル３１７は、撮像素子４１７の拡大倍率の変更をシステム制御部２２５に指示するダイヤルとして機能する。
【００４４】
拡大ボタン３１９は、表示部２２１に表示される画像の一部分の拡大をシステム制御部２２５に指示するためのボタンである。
【００４５】
ドライブボタン３２６は、撮像素子４１７のドライブモードをシステム制御部２２５に指示（指定）するためのボタンである。ドライブボタン３２６が押し下げられると、ドライブモードを表示するメニュー画面が表示部２２１に表示される。ドライブモードは、撮像シーケンスと対応しており、例えば、単写モード、連写モードなどを含む。また、ドライブモードは、使用されるシャッターとの関連付けがされている。すなわち、ドライブモードが決まると、使用されるシャッターが決まる。使用されるシャッターは、例えば、メカシャッター、電子先幕シャッター、電子ローリングシャッターなどを含む。なお、ドライブモードとシャッターモードとは、個別に設定されるようになっていてもよい。
【００４６】
十字ボタン３２１は、カメラ本体２００の各種設定値の変更及び設定を指示し、各種モードの変更及び設定を指示するためのボタンである。十字ボタン３２１は、撮像素子４１７（撮像部）のシャッタースピード系列である、第１のシャッタースピード系列と、第１のシャッタースピード系列よりも細かい第２のシャッタースピード系列とにおける系列値を切り替えるシャッタースピード切替部としても機能する。ここでシャッタースピード系列とは、撮像素子４１７に対して設定できるシャッタースピードの値の系列のことである。そしてシステム制御部２２５は、撮像部の露出時間を、十字ボタン３２１（シャッタースピード切替部）によって切り替えられた第１のシャッタースピード系列の系列値又は第２のシャッタースピード系列の系列値に従って制御するシャッタースピード制御部として機能する。第１のシャッタースピード系列及び第２のシャッタースピード系列それぞれに含まれるシャッタースピードの値は、不揮発性メモリ２２３に記憶される。
【００４７】
ＯＫボタン３２３は、各種設定値の変更及び設定を決定し、各種モードの変更及び設定を決定するためのボタンである。
【００４８】
表示モード切替ボタン３２５は、カメラ本体２００のライブビュー表示モードを、第１のシャッタースピード系列に基づく通常ライブビュー表示モードと、第２のシャッタースピード系列に基づくライブビュー表示モードとの何れかに切り替えるライブビュー表示モード切替部として機能するボタンである。第２のシャッタースピード系列に基づくライブビュー表示モードは、第１のライブビュー表示モードと、第２のライブビュー表示モードとを有する。表示モード切替ボタン３２５は、第２のシャッタースピード系列に基づくライブビュー表示モード下において、カメラ本体２００のライブビュー表示モードを、第１のライブビュー表示モードと、第２のライブビュー表示モードとの何れかに切り替えるライブビュー表示モード切替部として機能するボタンでもある。表示部２２１は、表示モード切替ボタン３２５によって切り替えられたライブビュー表示モードでデジタル画像を表示する。
【００４９】
次に、通常ライブビュー表示モードと第１、２のライブビュー表示モードとについて説明する。
【００５０】
通常ライブビュー表示モードは、第１のシャッタースピード系列に基づいた撮影を行うために、ユーザがフレーミングを行うためのライブビュー表示モードであり、ユーザによって指定されたＷＢやピクチャーモードに基づいた基本画像処理が行われた画像を表示部２２１にて表示するモードである。通常ライブビュー表示モードで表示される画像を通常ライブビュー画像３５１（図６参照）と称する。
【００５１】
第１、２のライブビュー表示モードは、明滅を繰り返すフリッカ光源下で発生し得る横縞の発生を抑制するために、第２のシャッタースピード系列に基づいた撮影を行うためのライブビュー表示モードである。
【００５２】
第１のライブビュー表示モードにおいて、静止画撮像シーケンス（フレームレート及び露出時間等）で撮像素子４１７は駆動する。第１のライブビュー表示モードでは、静止画撮像シーケンスで得られた全画素の高精細な画像から生成された画像がライブビュー表示される。第２のライブビュー表示モードでは、画素の加算又は画素の間引き読み出しなどによって読み出しスピードを上げ、被写体の追従性及び視認性を優先した撮像シーケンスで撮像素子４１７を駆動する。この撮像シーケンスは、静止画撮像シーケンスとは異なる。
【００５３】
第１のライブビュー表示モードは、ユーザがライブビューを確認しながら第２のシャッタースピード系列から横縞の発生しないシャッタースピードを選択および設定するための表示モードである。ここでは例えば４つのシャッタースピードの値が記憶されており、ユーザは４つの値から１つの値を十字ボタン３２１の左右ボタンを使って選択することができる。またユーザは、選択値の値自体を、さらに十字ボタン３２１の上下ボタンを使って、ライブビューを目視しながら変更することが可能である。実際の撮影において、選択値は、４つに限らずいくつでも良い。第１のライブビュー表示モードは、粗い横縞又は流れる横縞を視認するための低い拡大倍率を用いるライブビュー表示モードと、低い拡大倍率では確認できない１画素ライン単位の横縞を視認するためにピクセル等倍を意識した高い拡大倍率を用いるライブビュー表示モードとから構成される。高い拡大倍率では粗い横縞は視認できないため、シャッタースピードは、必ず高・低の２つ以上の拡大倍率を用いるライブビューが視認された状態で、設定される必要がある。設定が簡単に切り替わるなどして、シャッタースピードの設定と横縞の視認とが同時に確認できることが重要である。第１のライブビュー表示モードでは、横縞をさらに強調して視認しやすいように、特殊な画像処理が実施されても良い。例えばモノクロ化のような画像処理が実施されることで、第１のライブビュー表示モード状態であることが分かり易いと言う副次効果もある。
【００５４】
第２のライブビュー表示モードは、画素の加算又は画素の間引き読み出しを実施する撮像シーケンスで撮像された画像を表示部２２１にて逐次表示するモードであり、第２のシャッタースピード系列で撮影するためのモードである。第２のライブビュー表示モードでは、横縞の視認性よりも動く被写体の追従性及び視認性が最優先され、静止画撮像シーケンスより、高いフレームレート、短い表示レイテンシーでリフレッシュタイムを短縮した撮像シーケンスで、撮像素子４１７は駆動される。第２のライブビュー表示モードにおいて、表示部２２１が１倍の全体像を表示する場合、表示デバイスの画素数に合わせて画素の加算又は画素の間引き読み出しが実施され、撮像の高速性が担保される。
【００５５】
第１、２ライブビュー表示モードでは、通常ライブビュー表示モードのシャッタースピード系列のシャッタースピードよりも細かいシャッタースピード系列のシャッタースピードを十字ボタン３２１によって選択及び設定できる。通常ライブビュー表示モードのシャッタースピード系列は、例えば、１段刻み、１／２段刻み、１／３段刻みといったシャッタースピードの値を有し、第１、２ライブビュー表示モードのシャッタースピード系列はこれよりも細かい刻み、例えば、１／５０段刻み〜１／５００段刻みといったシャッタースピードの値を有する。
【００５６】
第１のライブビュー表示モードで表示される画像を第１のライブビュー画像３５３（図６参照）と称し、第２のライブビュー表示モードで表示される画像を第２のライブビュー画像３５５（図６参照）と称する。
【００５７】
図６に示すように、通常ライブビュー表示モードにおいて、表示モード切替ボタン３２５が短い時間押される（以下、短押しという）と、システム制御部２２５は、通常ライブビュー表示モード（通常ライブビュー画像３５１）から第１のライブビュー表示モード（第１のライブビュー画像３５３）に切り替える。また第１、２のライブビュー表示モードにおいて、表示モード切替ボタン３２５が長い時間押される（以下、長押しという）と、システム制御部２２５は、第１、２のライブビュー表示モード（第１のライブビュー画像３５３又は第２のライブビュー画像３５５）を通常ライブビュー表示モード（通常ライブビュー画像３５１）に切り替える。短押しは、長押しに比べて短時間押されることをいう。
【００５８】
第１のライブビュー表示モードにおいて、表示モード切替ボタン３２５が短押しされると、システム制御部２２５は第１のライブビュー表示モード（第１のライブビュー画像３５３）を第２のライブビュー表示モード（第２のライブビュー画像３５５）に切り替える。第２のライブビュー表示モードにおいて、表示モード切替ボタン３２５が短押しされると、システム制御部２２５は第２のライブビュー表示モード（第２のライブビュー画像３５５）を第１のライブビュー表示モード（第１のライブビュー画像３５３）に切り替える。
【００５９】
また、第１のライブビュー表示モードにおいて、表示モード切替ボタン３２５又は拡大ボタン３１９といった操作部材が押されずに操作部材が操作されない無操作時間が例えば１分〜数分程度といった所定時間だけ経過した場合も、システム制御部２２５は、第１のライブビュー表示モード（第１のライブビュー画像３５３）を第２のライブビュー表示モード（第２のライブビュー画像３５５）に切り替える。第１のライブビュー表示モードでは、静止画撮像シーケンスで得られた全画素の高精細な画像に基づいてライブビュー表示される。このため、第１のライブビュー表示モードでは、撮像素子４１７の温度が上昇しやすい。撮像素子４１７の温度が上がると、撮像素子４１７から出力される画像信号のＳ／Ｎが劣化する。このため、理想的な低ノイズ撮影が困難となる。また、温度がさらに上がると、撮像素子４１７の動作が停止してしまうことがある。すると、撮像素子４１７が再動作可能になるまで撮像素子４１７を冷ます必要があり、冷めるまでに例えば数十分待たないと撮影できなくなり、撮影チャンスが不用意に喪失されてしまう。このため、第１のライブビュー表示モードによるライブビュー表示は、不必要に長く行われないほうが良い。そこで、第１のライブビュー表示モードで無操作時間が所定時間経過すると、システム制御部２２５は、表示モードを第１のライブビュー表示モードから第２のライブビュー表示モードに切り替える。ここでは撮影チャンスの喪失を防止するために、表示モードが第２のライブビュー表示モードに切り替わるが、これに限定される必要はない。例えば、第１のライブビュー表示モードのための短いスリープ時間が設定され、スリープ時間が経過すると第１のライブビュー画像３５３が一時的に消えて、表示モードはスリープ状態に遷移するように構成されても良い。
【００６０】
第１のライブビュー表示モードは、粗い横縞又は流れる横縞を視認するのに適した通常倍率ライブビュー表示モードと、１画素ラインの横縞を視認するのに適した略ピクセル等倍以上の拡大倍率で拡大ライブビュー表示する拡大ライブビュー表示モードを有している。また第１のライブビュー表示モードは、通常倍率ライブビュー表示モードと同じ倍率で表示を行い、拡大枠３５３ｄを表示する拡大枠表示モードをさらに有する。通常倍率ライブビュー表示モードで表示される画像を通常倍率ライブビュー画像３５３ａと称し、拡大ライブビュー表示モードで表示される画像を拡大ライブビュー画像３５３ｂと称し、拡大枠表示モードで表示される画像を拡大枠表示画像３５３ｃと称する。拡大枠表示画像３５３ｃは、通常倍率ライブビュー画像３５３ａに拡大枠３５３ｄが加えられた画像である。拡大ライブビュー画像３５３ｂは、拡大枠表示画像３５３ｃに表示される拡大枠３５３ｄに囲まれる画像に相当する領域を全画素の高精細な画像から表示部２２１の画素数に対応させて切り出して表示した高精細な拡大画像である。拡大枠３５３ｄは、拡大するエリアを指定する枠である。拡大枠３５３ｄは、十字ボタン３２１の上下左右ボタンそれぞれの押し下げによって、拡大枠表示画像３５３ｃに対して上下左右それぞれに移動可能となっている。
【００６１】
第１のライブビュー表示モードの通常倍率表示モードにおいて、拡大ボタン３１９が短押しされることによって、システム制御部２２５は通常倍率ライブビュー表示モード（通常倍率ライブビュー画像３５３ａ）を拡大枠表示モード（拡大枠表示画像３５３ｃ）に切り替える。拡大枠表示モードにおいて、拡大ボタン３１９が短押しされることによって、システム制御部２２５は拡大枠表示モード（拡大枠表示画像３５３ｃ）を拡大ライブビュー表示モード（拡大ライブビュー画像３５３ｂ）に切り替える。拡大ライブビュー表示モードにおいて、拡大ボタン３１９が短押しされることによって、システム制御部２２５は、拡大ライブビュー表示モード（拡大ライブビュー画像３５３ｂ）を通常倍率ライブビュー表示モード（通常倍率ライブビュー画像３５３ａ）に切り替える。このように拡大ボタン３１９は、通常倍率ライブビュー表示モードと拡大ライブビュー表示モードと拡大枠表示モードとを順次（交互）に切り替える切替部として機能する。
【００６２】
第１のライブビュー画像３５３には、シャッタースピード系列が関連付けられたＳｙｎｃ番号（Ｓｙｎｃ１、Ｓｙｎｃ２、Ｓｙｎｃ３、Ｓｙｎｃ４）が表示される。
【００６３】
拡大枠表示画像３５３ｃでは、十字ボタン３２１は、拡大枠３５３ｄを、拡大枠表示画像３５３ｃで確認したい細かい横縞の見やすい位置に移動できる。
【００６４】
実用的には、拡大枠３５３ｄの位置、言い換えると、拡大ライブビュー画像３５３ｂに表示される部分、さらに言い換えると、拡大させたい部分は、例えば通常倍率ライブビュー画像３５３ａの中央といった通常倍率ライブビュー画像３５３ａの所定位置に固定されることで、拡大枠表示モードが省略されてもよい。この場合、拡大ボタン３１９は、通常倍率ライブビュー表示モード（通常倍率ライブビュー画像３５３ａ）と拡大ライブビュー表示モード（拡大ライブビュー画像３５３ｂ）とを交互に切り替える。拡大枠表示モード（拡大枠表示画像３５３ｃ）が省略されることで、より迅速に、横縞の検出に必要な２つの拡大倍率状態を切り替えることができる。さらに、背景パターンによる横縞の視認性低下を防ぐために、ＡＦレンズがカメラ本体２００に装着されている場合は、第１のライブビュー表示モードにおいてのみ自動的にあえてピントをぼかすように動作させても良い。
【００６５】
次に、本実施形態におけるカメラシステム１の動作を説明する。図７Ａは、静止画を撮像するためのカメラシステム１の動作を示すフローチャートである。図７Ａの動作は、主にシステム制御部２２５によって制御される。図７Ａの動作は、図示しない電源ボタンがＯＮされると、開始される。
【００６６】
ステップＳ１において、システム制御部２２５は、自動ＳＹＮＣ設定モードをチェックする。自動ＳＹＮＣ設定モードは、ＡＵＴＯ１設定モードと、ＡＵＴＯ２設定モードと、ＯＦＦ設定モードとのなかからユーザによって選択される。ＡＵＴＯ１設定モードでは、後述する明滅周期検出処理において撮像素子４１７に入射する光束に明滅周期が有るとシステム制御部２２５によって判定された際に、第１のライブビュー表示モード又は第２のライブビュー表示モードが駆動し、明滅周期に合わせてシャッタースピードが毎回更新される。つまり、ＡＵＴＯ１設定モードでは、シャッタースピードはフルオートで設定される。ＡＵＴＯ２設定では、明滅周期検出処理において明滅周期が有ると判定された際に、第１のライブビュー表示モード又は第２のライブビュー表示モードが駆動し、駆動したライブビュー表示モードの初回の駆動時に明滅周期に合わせてシャッタースピードが設定される。ライブビュー表示モードの初回の駆動時の後の駆動時では、つまりライブビュー表示モードが２度目以降に駆動する時では、ユーザによってシャッタースピードが設定される。つまり、ＡＵＴＯ２設定モードでは、シャッタースピードはセミオートで設定される。なお、明滅周期に合わせて設定されたシャッタースピードは、図６に示すＳｙｎｃ１〜４のなかでカーソルの当たっているものの値として不揮発性メモリ２２３に記録される。ＯＦＦ設定モードでは、後述する明滅周期検出処理は行われず、また、シャッタースピードの自動設定も行われない。このようなＡＵＴＯ１設定モードとＡＵＴＯ２設定モードとＯＦＦ設定モードとのそれぞれの設定内容は、不揮発性メモリ２２３に記録されている。
【００６７】
図７Ｂに示すように、表示部２２１に表示されるカスタムメニューのなかから、メニュー項目「自動ＳＹＮＣ設定」がユーザによる例えば十字ボタン３２１の上ボタン又は下ボタンの操作によって選択される。「自動ＳＹＮＣ設定」が選択された状態で、例えば十字ボタン３２１の右ボタンが押されると、「自動ＳＹＮＣ設定」画面が呼び出され、メニュー項目「ＡＵＴＯ１設定モード」が表示される。「自動ＳＹＮＣ設定」画面においてメニュー項目「ＡＵＴＯ１設定モード」が表示されている状態で、十字ボタン３２１の下ボタンが押されると、メニュー項目の表示はメニュー項目「ＡＵＴＯ２設定モード」に切り替わる。「自動ＳＹＮＣ設定」画面においてメニュー項目「ＡＵＴＯ２設定モード」が表示されている状態で、下ボタンが押されると、メニュー項目の表示はメニュー項目「ＯＦＦ設定モード」に切り替わる。「自動ＳＹＮＣ設定」画面においてメニュー項目「ＯＦＦ設定モード」が表示されている状態で、十字ボタン３２１の上ボタンが押されると、メニュー項目の表示はメニュー項目「ＡＵＴＯ２設定モード」に切り替わる。「自動ＳＹＮＣ設定」画面においてメニュー項目「ＡＵＴＯ２設定モード」が表示されている状態で、上ボタンが押されると、メニュー項目の表示はメニュー項目「ＡＵＴＯ１設定モード」に切り替わる。このように「自動ＳＹＮＣ設定」画面におけるメニュー項目の表示は、上ボタン又は下ボタンの操作によって順次切り替わる。
【００６８】
十字ボタン３２１によってＡＵＴＯ１設定モードとＡＵＴＯ２設定モードとＯＦＦ設定モードとのいずれかが選択された状態で、ＯＫボタン３２３が押されると、選択された設定モードが設定される。このように自動ＳＹＮＣ設定モードは、設定画面を目視するユーザによる十字ボタン３２１とＯＫボタン３２３との操作によって、ＡＵＴＯ１設定モードとＡＵＴＯ２設定モードとＯＦＦ設定モードとのいずれかに設定（指定）される。
【００６９】
図７Ａに戻り、ステップＳ１において、自動ＳＹＮＣ設定モードがＡＵＴＯ１設定モード又はＡＵＴＯ２設定モードに設定されたと判定されたとき、処理はステップＳ２に移行する。ステップＳ２において、システム制御部２２５は、後述する明滅周期検出処理を実施する。そして、処理はステップＳ３に移行する。ステップＳ１において、自動ＳＹＮＣ設定モードがＯＦＦ設定モードに設定されたと判定されたとき、処理はステップＳ３に移行する。このような構成において、もし屋外などの明滅周期のない撮影現場で撮影が主に行われる場合、ＯＦＦモードの設定によって、撮影待機時のレスポンスを上げることができる。また明滅周期検出処理が十分に早く実施される場合は、ステップＳ１の処理は不要となり、ステップＳ２の処理が最初に実施されてもよい。ステップＳ１の処理が不要となり、且つＯＦＦモードで明滅が検出された場合、明滅が有ることを示す警告が例えばライブビュー上に表示され、自動ＳＹＮＣ設定モードは明滅周期のシャッタースピードを手動で設定することを許可するモードになる。
【００７０】
ステップＳ３において、システム制御部２２５は、ライブビュー表示モードの状態を管理するためのフラグであるＳＹＮＣモードフラグをチェックする。ＳＹＮＣモードフラグは、０と１との２つの状態を有する。ＳＹＮＣモードフラグの状態は、ライブビュー表示モードの現在の状態と表示モード切替ボタン３２５の操作とに応じて交互に切り替わる。ＳＹＮＣモードフラグが０と判定されたとき、処理はステップＳ４に移行する。ステップＳ４において、システム制御部２２５は、通常ライブビュー表示モードでライブビュー表示を実施する。そして、処理はステップＳ８に移行する。
【００７１】
ステップＳ３において、ＳＹＮＣモードフラグが１と判定されたとき、処理はステップＳ５に移行する。ステップＳ５において、システム制御部２２５は、第１、２のライブビュー表示モード中の表示状態を管理するためのフラグであるＳＹＮＣ表示フラグをチェックする。ＳＹＮＣ表示フラグは、０と１との２つの状態を有する。ＳＹＮＣ表示フラグの状態は、第１、２のライブビュー表示モードの現在の状態と表示モード切替ボタン３２５の操作とに応じて交互に切り替わる。ＳＹＮＣ表示フラグが１と判定されたとき、処理はステップＳ６に移行する。ステップＳ６において、システム制御部２２５は、後述する第１のライブビュー表示モード処理に移行する。そして、処理はステップＳ８に移行する。またステップＳ５において、ＳＹＮＣ表示フラグが０と判定されたとき、処理はステップＳ７に移行する。ステップＳ７において、システム制御部２２５は、後述する第２のライブビュー表示モード処理に移行する。そして、処理はステップＳ８に移行する。
【００７２】
ステップＳ８においてシステム制御部２２５は後述するボタンダイヤル操作処理を実施し、処理はステップＳ９に移行する。
【００７３】
ステップＳ９において、システム制御部２２５は、表示モード切替ボタン３２５又は拡大ボタン３１９が押されない無操作時間が所定時間経過したか否かを判定する。ステップＳ９において無操作時間が所定時間経過したと判定された際、処理はステップＳ１０に移行する。ステップＳ１０においてシステム制御部２２５は、ＳＹＮＣ表示フラグを０に設定し、処理はステップＳ１１に移行する。ステップＳ９において無操作時間が所定時間経過する前に表示モード切替ボタン３２５又は拡大ボタン３１９が押されたと判定されたとき、処理はステップＳ１１に移行する。
【００７４】
ステップＳ１１において、システム制御部２２５は、ユーザによってレリーズボタン３１３が半押しされたか否かを判定する。ステップＳ１１においてレリーズボタン３１３が半押しされていないと判定された際、処理はステップＳ１に戻る。ステップＳ１１においてレリーズボタン３１３が半押したと判定された際、処理はステップＳ１２に移行する。ステップＳ１２においてシステム制御部２２５は、被写体にピントを合わせるためにレンズ制御部２０１を制御する。その後、処理はステップＳ１３に移行する。
【００７５】
ステップＳ１３において、システム制御部２２５は、ユーザによってレリーズボタン３１３が全押しされたか否かを判定する。ステップＳ１３においてレリーズボタン３１３が全押しされていないと判定された際、処理はステップＳ１に戻る。ステップＳ１３においてレリーズボタン３１３が全押しされたと判定された際、処理はステップＳ１４に移行する。ステップＳ１４においてシステム制御部２２５は、設定されたシャッタースピードの値で静止画を撮影し、処理はステップＳ１に戻る。撮影された静止画は、表示部２２１に表示される。
【００７６】
次に図７Ｃを参照して、ステップＳ２に示す明滅周期検出処理について説明する。図７Ｃは、明滅周期検出処理のためのカメラシステム１の動作を示すフローチャートである。
【００７７】
ステップＳ２１において、システム制御部２２５は、撮影待機状態かどうかチェックする。詳しくは、撮像素子４１７及び光電素子４１５ａを含む手振れ補正ユニット４０３がスタンバイされているかをチェックする。このチェックにおいて、例えば、図示しない電源ボタンがＯＮとなっているＯＮ状態において、システム制御部２２５は、撮像素子４１７に電力が供給されているかをチェックする。
【００７８】
ステップＳ２１において、手振れ補正ユニット４０３がスタンバイされていないと判定された際、処理はステップＳ３に移行する。手振れ補正ユニット４０３がスタンバイされていると判定された際、処理はステップＳ２２に移行する。
【００７９】
ステップＳ２２において、第１検出部４１５とシステム制御部２２５とは、後述する検出管理処理を実施する。詳細については後述するが、検出管理処理では、第１検出部４１５は交流電流成分を検出し、システム制御部２２５は第１検出部４１５の検出結果を管理する。処理はステップＳ２３に移行する。
【００８０】
ステップＳ２３において、システム制御部２２５は、ステップＳ２２における管理を基にした明滅周期が有るか否かを判定する。つまり、システム制御部２２５は、第１検出部４１５によって検出された交流電流成分から撮像素子４１７に入射する光束における明滅周期を検出する第２検出部として機能している。ステップＳ２３において、明滅周期が無いと判定されたとき、処理はステップＳ３に移行する。ステップＳ２３において、明滅周期が有ると判定されたとき、処理はステップＳ２４に移行する。
【００８１】
ステップＳ２４において、システム制御部２２５は、ステップＳ１にて設定された自動ＳＹＮＣ設定モードをチェックする。自動ＳＹＮＣ設定モードがＡＵＴＯ１設定モードであると判定されたとき、処理はステップＳ２５に移行する。
【００８２】
ステップＳ２５において、システム制御部２２５は、撮影モード変更処理とドライブモード変更処理とを実施し、ＳＹＮＣモードフラグを１に設定する。
【００８３】
撮影モード変更処理では、例えば、システム制御部２２５は、撮影モードがＰモードとＡモードとのどちらであるかを判定する。撮影モードがＰモードであると判定された際、システム制御部２２５は、Ｓモードに露出制御プログラムを変更する。撮影モードがＡモードであると判定された際、システム制御部２２５は、Ｍモードに露出制御プログラムを変更する。明滅周期が検出された際に、システム制御部２２５は、撮影モードをＳモード又はＭモードに変更する撮影モード変更部として機能する。
【００８４】
ドライブモード変更処理では、例えば、システム制御部２２５は、現在の設定に対応している電子ローリングシャッターを使用するドライブモードがあるか否かを判定する。例えば、現在の設定が単写モードであって、単写モードに電子ローリングシャッターを使うモード（例えば静音単写モード）があるときには、現在の設定に対応していて電子ローリングシャッターを使用するドライブモードがあると判定される。現在の設定に対応していて電子ローリングシャッターを使用するドライブモードがないと判定された際、システム制御部２２５は、予め定められた特定の電子ローリングシャッター（例えば静音単写モード）を使用するドライブモードに変更する。現在の設定に対応していて電子ローリングシャッターを使用するドライブモードがあると判定された際、システム制御部２２５は、現在の設定のドライブモードから現在の設定に対応していて電子ローリングシャッターを使用するドライブモードにドライブモードを変更する。
【００８５】
システム制御部２２５は、ドライブモードを変更することにより、シャッターモードを電子ローリングシャッターに変更しているが、直接的にシャッターモードを変更（設定）しても良い。つまり、ドライブモード変更処理ではなく、シャッターモード変更処理が実施されてもよい。明滅周期が検出された際に、システム制御部２２５は、シャッターモード又はドライブモードを変更する撮影モード変更部として機能する。
【００８６】
ステップＳ２６において、システム制御部２２５は後述するシャッタースピード切替処理を実施する。処理は、ステップＳ３に移行する。
【００８７】
ステップＳ２５において、ステップＳ２６におけるシャッタースピード切替処理の前に、システム制御部２２５は、撮影モード変更処理とドライブモード変更処理とを実施しているが、これに限定される必要はない。撮影モード変更処理において、例えばＰモード及びＡモードそれぞれの露出制御プログラムがシャッタースピードを明滅周期に最適なシャッタースピードに固定するように設定されているのであれば、撮影モード変更処理は省略されてもよい。またシャッタースピードの精密な制御を、電子ローリングシャッターだけでなく、メカシャッター又は電子先幕シャッター等においても実現するように、システム制御部２２５が構成されているならば、ドライブモード変更処理又はシャッターモード変更処理も省略されてもよい。
【００８８】
ステップＳ２４において、自動ＳＹＮＣ設定モードがＡＵＴＯ２設定モードであると判定されたとき、処理はステップＳ２７に移行する。ステップＳ２７において、システム制御部は、ＳＹＮＣモードフラグをチェックする。
【００８９】
ステップＳ２７において、ＳＹＮＣモードフラグが１であると判定されたときは、処理はステップＳ２８に移行する。ステップＳ２８において、システム制御部２２５は、通常ライブビュー表示モードが手振れ補正ユニット４０３のスタンバイ後に初めて第１のライブビュー表示モードに切り替わったか否かを管理するためのフラグであるＳＹＮＣモード切替フラグをチェックする。このＳＹＮＣモード切替フラグは、ＳＹＮＣモードフラグが「０」から「１」に切り替わったことを示すフラグである。ＳＹＮＣモード切替フラグは、０と１との２つの状態を有する。ＳＹＮＣモード切替フラグの初期値は１である。ステップＳ２８の判定が行われることで、ＳＹＮＣモード切替フラグの値は１から０に切り替わり、明滅周期に基づくシャッタースピードの切替処理が１回に制限される。
【００９０】
ステップＳ２８において、ＳＹＮＣモード切替フラグが０と判定されたとき、第１のライブビュー表示モードが２度目以降であると判定され、処理はステップＳ３に移行する。
【００９１】
ステップＳ２８において、ＳＹＮＣモード切替フラグが１と判定されたとき、第１のライブビュー表示モードが１度目であると判定され、処理はステップＳ２９に移行する。ステップＳ２９において、システム制御部２２５は、ＳＹＮＣ表示フラグを０に設定し、ＳＹＮＣモード切替フラグを０に設定する。そして処理は、ステップ２６に移行する。この場合、明滅周期検出処理の終了後のステップＳ７において、第２のライブビュー表示モード処理が行われる。
【００９２】
ステップＳ２７において、ＳＹＮＣモードフラグが０であると判定されたときは、処理はステップＳ３０に移行する。ステップＳ３０において、システム制御部２２５は明滅周期が有る事を示す警告を出力する警告部として機能しており、システム制御部２２５は警告を出力先の一例である表示部２２１に出力する。図７Ｄに示すように、表示部２２１は、「Ｆｌｉｃｋｅｒ」といった文字としての警告を通常ライブビュー画像３５１と共に表示する。なお警告は、音声として、カメラ本体２００の図示しないスピーカから出力されてもよい。このような警告は、撮影される静止画に横縞が発生してしまうことを、撮影前にユーザに認識させることができる。そしてユーザは、横縞が発生しない高速シャッタースピードを撮影前に設定することができる。処理は、ステップＳ３に移行する。
【００９３】
次に図７Ｅを参照して、ステップＳ２２に示す検出管理処理について説明する。図７Ｅは、検出管理処理のためのカメラシステム１の動作を示すフローチャートである。検出管理処理は、第１検出部４１５とシステム制御部２２５とによって実施される。
【００９４】
ステップＳ４１において、システム制御部２２５は、第１検出部４１５を急速に駆動させる。詳細には、システム制御部２２５は第１検出部４１５の電源Ｖｄｄに電力を供給し、制御（Ｃｔｒｌ）端子は電流源Ｉ１の電流量を最大に設定し、この設定によってオペアンプＯＰ１の応答特性（速度）が最大限に引き上がる。これにより、コンデンサＣ１が急速にチャージされ、第１検出部４１５は数ｍｓで平衡安定状態となる。処理は、ステップＳ４２に移行する。
【００９５】
ステップＳ４２において、システム制御部２２５は、蛍光灯の１００Ｈｚ〜１２０Ｈｚという低速な周波数を第１検出部４１５が検出できるように、第１検出部４１５を設定する。詳細には、第１検出部４１５において、制御（Ｃｔｒｌ）端子を介してシステム制御部２２５は電流源Ｉ１の電流量を絞り、オペアンプＯＰ１によってコンデンサＣ１のチャージ能力を下げて、オペアンプＯＰ１の応答特性を１００Ｈｚ以下、例えば１０Ｈｚ程度に設定する。
【００９６】
ステップＳ４２において、フォトダイオードＤ１である光電素子４１５ａが撮像素子４１７に入射する光束Ｌ１の一部を受光した際、第１検出部４１５は、光束Ｌ１の交流電流成分を検出する。詳細には、１００Ｈｚ以上の交流電流成分は、トランジスタＱ３のベースに出し入れされる。出し入れ後に交流電流成分がトランジスタＱ３によって電流増倍されると、トランジスタＱ３のコレクタに交流波形が現れる。この交流波形は、コンパレータ―ＣＯＭＰによって整形される。整形された交流波形は、交流電流成分の出力パルスとして、第１検出部４１５からシステム制御部２２５に出力される。処理は、ステップＳ４３に移行する。
【００９７】
ステップＳ４３において、システム制御部２２５は、出力パルスが有るか否かを判定する。
【００９８】
ステップＳ４３において出力パルスが有ると判定されたとき、処理は、ステップＳ４４に移行する。ステップＳ４４において、システム制御部２２５は、低速な周波数での明滅周期の有無を管理する低周波明滅フラグを１に設定する。低周波明滅フラグは、０と１との２つの状態を有する。低周波明滅フラグの状態は、低速な周波数を基にする交流電流成分の出力パルスの有無に応じて交互に切り替わる。またシステム制御部２２５に備えられている図示しない計測器は、低速な周波数を基にする出力パルスの波形の周期を、明滅周期として計測する。不揮発性メモリは、計測された明滅周期をＣＯＵＮＴ１として記憶する。
【００９９】
ステップＳ４３において、出力パルスが無いと判定されたとき、処理は、ステップＳ４５に移行する。システム制御部２２５は、低周波明滅フラグを０に設定する。
【０１００】
このようにステップＳ４４、Ｓ４５において、システム制御部２２５は、低周波明滅フラグを用いて第１検出部４１５の検出結果を管理する。処理は、ステップＳ４６に移行する。
【０１０１】
ステップＳ４６において、システム制御部２２５は、商用電源の１２０Ｈｚよりも速い高速な周波数を第１検出部４１５が検出できるように、第１検出部４１５を設定する。詳細には、第１検出部４１５において、制御（Ｃｔｒｌ）端子を介してシステム制御部２２５は電流源Ｉ１の電流量を増やし、オペアンプＯＰ１によってコンデンサＣ１のチャージ能力を上げて、オペアンプＯＰ１の応答特性を例えば２００Ｈｚ以上に設定する。
【０１０２】
ステップＳ４６において、フォトダイオードＤ１である光電素子４１５ａが撮像素子４１７に入射する光束Ｌ１の一部を受光した際、第１検出部４１５は、光束Ｌ１の交流電流成分を検出する。詳細には、商用電源周波数の交流電流成分が除去され、商用電源周波数以上の周波数の交流電流成分がトランジスタＱ３のベースに出し入れされる。出し入れ後に交流電流成分がトランジスタＱ３によって電流増倍されると、トランジスタＱ３のコレクタに交流波形が現れる。この交流波形は、コンパレータ―ＣＯＭＰによって整形される。整形された交流波形は、交流電流成分の出力パルスとして、第１検出部４１５からシステム制御部２２５に出力される。処理は、ステップＳ４７に移行する。
【０１０３】
ステップＳ４７において、システム制御部２２５は、出力パルスが有るか否かを判定する。
【０１０４】
ステップＳ４７において出力パルスが有ると判定されたとき、処理は、ステップＳ４８に移行する。ステップＳ４８において、システム制御部２２５は、高速な周波数での明滅周期の有無を管理する高周波明滅フラグを１に設定する。高周波明滅フラグは、０と１との２つの状態を有する。高周波明滅フラグの状態は、高速な周波数を基にする交流電流成分の出力パルスの有無に応じて交互に切り替わる。またシステム制御部２２５に備えられている図示しない計測器は、高速な周波数を基にする出力パルスの波形の周期を、明滅周期として計測する。不揮発性メモリは、計測された明滅周期をＣＯＵＮＴ２として記憶する。
【０１０５】
ステップＳ４７において、出力パルスが無いと判定されたとき、処理は、ステップＳ４９に移行する。システム制御部２２５は、高周波明滅フラグを０に設定する。
【０１０６】
このようにステップＳ４８、Ｓ４９において、システム制御部２２５は高周波明滅フラグを用いて第１検出部４１５の検出結果を管理する。処理は、図７Ｃに示すステップＳ２３に移行する。
【０１０７】
ステップＳ２３では、システム制御部２２５は、ステップＳ４４、Ｓ４５において管理した低周波明滅フラグの状態と、ステップＳ４８、Ｓ４９において管理した高周波明滅フラグの状態とを基に、明滅周期を検出、つまり明滅周期の有無を判定する。詳細には、低周波明滅フラグと高周波明滅フラグとの両方が０であった場合に、明滅周期が検出されずつまり明滅周期が無しと判定され、処理はステップＳ３に移行する。低周波明滅フラグと高周波明滅フラグとの少なくとも一方が１であった場合に、明滅周期が検出された、つまり明滅周期が有りと判定され、処理はステップＳ２４に移行する。
【０１０８】
次に図７Ｆを参照して、ステップＳ２６に示すシャッタースピード切替処理について説明する。図７Ｆは、シャッタースピード切替処理のためのカメラシステム１の動作を示すフローチャートである。
【０１０９】
ステップＳ６１において、システム制御部２２５は、高周波明滅フラグが１であるか、つまり高速な周波数での明滅周期が有るかをチェックする。高周波明滅フラグが１でなければ処理はステップＳ６３に移行し、高周波明滅フラグが１であれば処理はステップＳ６２に移行する。
【０１１０】
ステップＳ６２において、システム制御部２２５は、シャッタースピードを、第２のシャッタースピード系列のなかでＣＯＵＮＴ２として記憶された明滅周期に近いシャッタースピードに設定する。処理は、ステップＳ６３に移行する。
【０１１１】
ステップＳ６３において、システム制御部２２５は、低周波明滅フラグが１であるか、つまり低速な周波数での明滅周期が有るかをチェックする。低周波明滅フラグが１でなければ処理はステップＳ３に移行し、低周波明滅フラグが１であれば処理はステップＳ６４に移行する。
【０１１２】
ステップＳ６４において、システム制御部２２５は、シャッタースピードを、第２のシャッタースピード系列のなかでＣＯＵＮＴ１として記憶された明滅周期に近いシャッタースピードに設定する。処理は、ステップＳ３に移行する。
【０１１３】
シャッタースピード切替処理では、システム制御部２２５は、横縞の発生を軽減するために、高速な周波数による明滅周期よりも低速な周波数による明滅周期を優先してシャッタースピードの値を設定している。これは、シャッタースピードが遅いほど、細かい横縞の発生を軽減できるうえに、低周波による幅広の横縞の発生も軽減できるためである。なお、静止画撮影時において、動きの速い被写体を撮影することを優先して速いシャッタースピードを用いて撮影が実施される場合、システム制御部２２５は、シャッタースピードの値の順番を逆にして、低速な周波数による明滅周期よりも高速な周波数による明滅周期を優先してシャッタースピードの値を設定してもよい。この場合は低速な周波数による明滅の影響は除去できないが、後処理による修正が容易であるというメリットがある。
【０１１４】
シャッタースピード切替処理では、システム制御部２２５は、撮像素子４１７の露出時間を制御するためのシャッタースピードを、第２のシャッタースピード系列のなかで明滅周期に近いシャッタースピードに設定しているが、これに限定される必要はない。
【０１１５】
ステップＳ４に示す通常ライブビュー表示モードにおいて、システム制御部２２５は、第２のシャッタースピード系列のなかで明滅周期に近い第１のシャッタースピードを、第１のシャッタースピード系列に加えてもよい。または、システム制御部２２５は、第１のシャッタースピードの整数倍の第２のシャッタースピードを、第１のシャッタースピード系列に加えてもよい。または、システム制御部２２５は、シャッタースピードを、第２のシャッタースピード系列のなかで明滅周期に近いシャッタースピードに設定し、整数倍のシャッタースピードごとに変更可能としてもよい。
【０１１６】
次に図７ＡのステップＳ６に示す第１のライブビュー表示モード処理について説明する。
【０１１７】
システム制御部２２５は、撮像シーケンスを、第２のシャッタースピード系列のシャッタースピードの値で撮像された画像の全画素を読み出すシーケンスに変更する。これに伴ってシステム制御部２２５は、第１のライブビュー画像３５３に表示されるシャッタースピードを例えば小数点第一の位まで表示させる。システム制御部２２５は、被写体を捉えるための理想的なファインダー機能を実現するための機能を無効にする。この機能は、例えば、ライブビューブーストの機能と、フレームレートの調整機能と、フリッカ低減の機能とを有している。システム制御部２２５は、第１、２ライブビュー表示モードにおけるシャッタースピードを決定するために、シャッタースピードの決定のために使用される操作部材を除いた操作部材の使用を全て無効にする。画像処理部２１３は、第１のライブビュー画像３５３における横縞を視認しやすいように、第１のライブビュー画像３５３を例えばハイコントラスト化する。画像処理部２１３は、横縞の視認のために、第１のライブビュー画像３５３の色合いなどを変更しても良い。システム制御部２２５は、ステップＳ９にて説明した無操作時間に対する所定時間を設定する。システム制御部２２５は、拡大ライブビュー表示モードにおける拡大倍率を設定する。拡大倍率は、前回拡大した時に用いられた倍率（以下、前回の倍率と称する）と、ピクセル等倍付近の倍率（以下、ピクセル等倍倍率）と、予め設定された固定倍率とのなかからユーザによって選択される。設定できる拡大倍率は、１画素ラインごとの横縞に有意な拡大倍率の設定である。
【０１１８】
システム制御部２２５は、第１のライブビュー表示モードの状態を管理するためのフラグである拡大フラグをチェックする。拡大フラグは、０と１と２との３つの状態を有する。拡大フラグの状態は、拡大ボタン３１９の操作に応じて順次に切り替わる。拡大フラグが０と判定されたとき、システム制御部２２５は、通常倍率ライブビュー表示モードでの表示部２２１の駆動を実施する。拡大フラグが１と判定されたとき、システム制御部２２５は、拡大枠表示モードでの表示部２２１の駆動を実施する。拡大フラグが２と判定されたとき、システム制御部２２５は、拡大ライブビュー表示モードでの表示部２２１の駆動を実施する。処理はステップＳ８に移行する。
【０１１９】
次に図７ＡのステップＳ７に示す第２のライブビュー表示モード処理について説明する。第２のライブビュー表示モード処理では、システム制御部２２５は、通常ライブビュー表示モードと同じ設定となるように設定をしなおす。
【０１２０】
システム制御部２２５は、撮像シーケンスを、第１のシャッタースピード系列のシャッタースピードの値で撮像された画像について画素の加算又は画素の間引き読み出しを実施する撮像シーケンスに変更する。これに伴ってシステム制御部２２５は、第２のライブビュー画像３５５に表示されるシャッタースピードを例えば小数点第一の位まで表示させる。システム制御部２２５は、被写体を捉えるための理想的なファインダー機能を実現するための上述した機能を有効にする。システム制御部２２５は、通常ライブビュー表示モードのための操作部材の使用を有効にする処理を実施する。画像処理部２１３は、通常ライブビュー表示モード用の画像処理を実施する。この画像処理は、例えば、ホワイトバランス補正処理といった基本画像処理をいう。システム制御部２２５は、ステップＳ９にて説明した無操作時間に対する所定時間を設定する。
【０１２１】
システム制御部２２５は、第２のライブビュー表示モードの状態を管理するためのフラグである拡大フラグをチェックする。拡大フラグは、０と１と２との３つの状態を有する。拡大フラグの状態は、拡大ボタン３１９の操作に応じて順次に切り替わる。拡大フラグが０と判定されたとき、システム制御部２２５は通常倍率ライブビュー表示モードを実施し、第２のライブビュー画像３５５が表示可能となる。拡大フラグが１と判定されたとき、システム制御部２２５は、拡大枠表示モードを実施し、第２のライブビュー画像３５５に図示しない拡大枠が加えられた図示しない拡大枠表示画像が表示可能となる。拡大フラグが２と判定されたとき、システム制御部２２５は拡大ライブビュー表示モードを実施し、図示しない拡大枠表示画像に表示される図示しない拡大枠に囲まれる画像を拡大した図示しない拡大ライブビュー画像が表示可能となる。処理はステップＳ８に移行する。
【０１２２】
次にステップＳ８に示すボタンダイヤル操作処理について説明する。ボタンダイヤル操作処理には、第１のライブビュー表示モード用のボタンダイヤル操作処理と、第２のライブビュー表示モード用のボタンダイヤル操作処理、通常ライブビュー表示モード用のボタンダイヤル操作処理とがある。
【０１２３】
まず、第１のライブビュー表示モード用のボタンダイヤル操作処理について説明する。
【０１２４】
十字ボタン３２１の上下ボタン又はＲダイヤル３１５が操作され、操作に応じた粗い刻み又は細かい刻みでシャッタースピードが変更される。Ｆダイヤル３１７が操作されると、システム制御部２２５は、ステップＳ６に示す第１のライブビュー表示モード処理において設定された拡大倍率に、拡大倍率を変更する。システム制御部２２５は、シャッタースピードの自動スイープ処理を実施する。第１のライブビュー表示モードにおいてシャッタースピード系列は例えば１／５０段刻み〜１／５００段刻みといった細かい刻みで多数のシャッタースピードの値を有しており、ユーザがこのなかからシャッタースピードを手動で設定するには手間がかかる。システム制御部２２５は、この手間を省くために、ユーザによるＯＫボタン３２３の押下げによって、明滅周期検出処理を発動し、明滅周期検出処理によって検出された周期に対応したシャッタースピードになるまで、自動的にシャッタースピードをスイープする。そして、処理はステップＳ９に移行する。
【０１２５】
次に、第２のライブビュー表示モード用のボタンダイヤル操作処理について説明する。
【０１２６】
システム制御部２２５は、ユーザによってシャッタースピードを変更するためのＲダイヤル３１５と撮影モードを変更するためのＦダイヤル３１７とのどちらが回転操作されたかを判定する。Ｒダイヤル３１５が回転操作されたと判定されたとき、システム制御部２２５は、設定されたシャッタースピードを、現在の設定値の整数倍又は整数分の１倍の値に変更する。Ｆダイヤル３１７が回転操作されたと判定されたとき、システム制御部２２５は、撮影モードがＳモード又はＭモードか否かを判定する。撮影モードがＳモードであると判定された際、システム制御部２２５は露出補正値を変更する。撮影モードがＭモードであると判定された際、システム制御部２２５は絞り値を変更する。処理はステップＳ９に移行する。
【０１２７】
次に、通常ライブビュー表示モード用のボタンダイヤル操作処理について説明する。
【０１２８】
システム制御部２２５は、表示モード切替ボタン３２５以外の各種ボタン操作を処理する。処理はステップＳ９に移行する。
【０１２９】
本実施形態では、光電素子４１５ａは撮像素子４１７に入射する被写体からの光束の一部を受光し、第１検出部４１５は光電素子４１５ａによって受光された光束から光束の交流電流成分を検出する。第２検出部であるシステム制御部２２５は、交流電流成分から光束における明滅周期を検出する。これにより、ＬＥＤ光源などによって発生するフリッカの有無を撮影前に検出することができるカメラシステム１を提供できる。
【０１３０】
シャッタースピードがセミオートで設定されるＡＵＴＯ２設定モードでは、通常ライブビュー表示モードであっても、明滅周期が検出されたときには、警告が出力される。これにより、ユーザは、横縞を視認することが困難な通常ライブビュー表示モードであっても、横縞が静止画に存在してしまうことを撮影前に認識できる。そして、ユーザは、横縞が発生しない高速シャッタースピードを撮影前に簡単に設定できる機会を与えられ、高速シャッタースピードを設定した後に、横縞もなく、表示遅れもない、静止画を撮影できる。
【０１３１】
明滅周期が検出された後、シャッタースピードは、第１のシャッタースピードよりも細かい系列である第２のシャッタースピード系列のなかで明滅周期に近いシャッタースピードに設定される。したがって、第１、２ライブビュー表示モードにおいて、厳密に横縞がないシャッタースピードを設定できる。この結果、横縞のない静止画を撮影できる。
【０１３２】
明滅周期が検出された後、第１のシャッタースピード系列は、第２のシャッタースピード系列のなかで明滅周期に近い第１のシャッタースピードを加えられる。又は第１のシャッタースピード系列は、第１のシャッタースピードの整数倍の第２のシャッタースピードを加えられる。これにより、通常ライブビュー表示モードにおいても、厳密に横縞がないシャッタースピードを設定できる。
【０１３３】
また第１のライブビュー画像３５３が表示され続けると、撮像素子４１７の温度が上昇し続け、撮像素子４１７から出力される画像信号のＳ／Ｎが劣化する。このため、理想的な低ノイズ撮影が困難となる。また、温度がさらに上がると、撮像素子４１７の動作が停止してしまうことがある。このように撮影チャンスが喪失されることがある。本実施形態では、第１のライブビュー表示モードにおいて無操作時間が所定時間経過すると、表示モードが第２のライブビュー表示モードに切り替わるため、撮像素子４１７の温度が上昇を抑制でき、シャッターチャンスの喪失を未然に防止できる。
【０１３４】
[第２の実施形態]
以下に、図８を参照して、本発明の第２の実施形態について説明する。本実施形態では、第１の実施形態とは異なることを主に記載する。図８は、撮像素子４１７の構成を示す図である。
【０１３５】
光電素子４１５ａは、撮像素子４１７の有効画素領域に離散的に組み込まれている。これにより、光電素子４１５ａは被写体からの光束のなかからより多くの光を受光でき、第１検出部４１５はより多くの交流電流成分を検出できる。なお有効画素領域において光電素子４１５ａが配置されている部分は画素が欠陥しているものとして扱われ、この部分における画像は、例えば公知のピクセルマッピング技術によって補間される。光電素子４１５ａは、画像の品質の低下を防止するために、周期性がないように非対称で配置されるのが良い。
【０１３６】
撮像素子４１７は、光電素子４１５ａの配線が画素の間の隙間を圧迫しない裏面照射型であることが好ましい。これにより、光電素子４１５ａの配線によって画素の間の隙間が遮光されることを抑制でき、被写体からの光束を収集する撮像素子４１７の光収集能力（開口部面積）の低下を抑制できる。
【０１３７】
なお図９に示すように、光電素子４１５ａは、撮像素子４１７の有効画素領域の周縁部にのみ組み込まれるように構成されても良い。これにより、撮影画像にダメージをあたえることもなく、有効画素領域の外に配線領域も十分に確保されるため、裏面照射型でない撮像素子にも転用できる。ここで、図９及び図１０に示す撮像素子４１７における配線の構成の一部を図１０に示す。図１０に示すように、光電素子４１５ａの配線がワイヤードＯＲによって第１検出部４１５に接続されている。これによって所定時間間隔の撮像タイミングで画像データを取得する必要がなくなり、常時交流光をモニタすることが可能となる。通常、撮像タイミングは、最大でも２４０ｆｐｓ程度である。このため、撮像シーケンスでは、数ｋＨｚ〜数１００ｋＨｚの明滅光を捉えるにはスピード不足である。図１０に示す構成は、撮像シーケンス制御を用いることなくアナログ波形として交流光成分を検出するため、あらゆる周波数領域の交流光を検出することが可能である。図１０に示す構成は、画像データを検出する撮像シーケンスと交流光を検出する撮像シーケンスとを分離して光電素子４１５ａからの光電流を読み出す構成である。図１０に示す構成は、光電素子４１５ａを有さない画素の読み出しを行う第１の読み出しシーケンスと、第１の読み出しシーケンスよりも早いスピードで光電素子４１５ａを有する画素の画読み出しを行う第２の読み出しシーケンスとで構成される。このため、撮像素子４１７は、数ｋＨｚ〜数１００ｋＨｚの明滅光を捉えることができる。また本発明は、アナログ検出に必ずしも限定せず、画像データに対する通常の読み出しシーケンスと別に独立して明滅光の数十倍のサンプリング周波数でＡＤ変換して読み出しても良い。
【０１３８】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【０１３９】
１…カメラシステム、１００…レンズ、１０１…撮影レンズ、１０３…絞り、１０５…液晶絞り、２００…カメラ本体、２０１…レンズ制御部、２０３…絞り制御部、２０５…液晶絞り制御部、２０７…撮像制御部、２０９…Ａ／Ｄ変換部、２１１…メモリ、２１３…画像処理部、２１５…露出制御部、２１７…ＡＦ処理部、２１９…外部メモリ、２２１…表示部、２２３…不揮発性メモリ、２２５…システム制御部、２２７…操作部、２２９…電源制御部、２３１…電源部、２３３…フラッシュ制御部、２３５…フラッシュ充電部、２３７…フラッシュ発光部、３１１…撮影モードダイヤル、３１３…レリーズボタン、３１５…Ｒダイヤル、３１７…Ｆダイヤル、３１９…拡大ボタン、３２１…十字ボタン、３２３…ＯＫボタン、３２５…表示モード切替ボタン、３２６…ドライブボタン、３３５…動画ボタン、３３７…テレコンボタン、４０１…手振れ検出部、４０３…手振れ補正ユニット、４０５…防塵ガラス、４０７…超音波駆動部材、４０９…ローパスフィルタ、４１１…赤外カットフィルタ、４１５ａ…光電素子、４１５…第１検出部、４１７、撮像素子、４１９…収納部、４２１…光学ガラス、５０１…マウント。
【図１】
2019161499.tif 000003
【図２】
2019161499.tif 000004
【図３】
2019161499.tif 000005
【図４】
2019161499.tif 000006
【図５】
2019161499.tif 000007
【図６】
2019161499.tif 000008
【図７Ａ】
2019161499.tif 000009
【図７Ｂ】
2019161499.tif 000010
【図７Ｃ】
2019161499.tif 000011
【図７Ｄ】
2019161499.tif 000012
【図７Ｅ】
2019161499.tif 000013
【図７Ｆ】
2019161499.tif 000014
【図８】
2019161499.tif 000015
【図９】
2019161499.tif 000016
【図１０】
2019161499.tif 000017